(57)【要約】      （修正有）【課題】車椅子の道路走行時において、自動車の運転者にとって車椅子利用者の所在を容易に認識できる車椅子を提供することを目的とする。またこれを容易に実施しえるように車椅子に簡単に着脱できる着脱式標識を提供することを目的とする。【解決手段】線材を折り返して両端に開き口２５ａ，２５ｂを有するバネ部２３ａ，２３ｂを形成し、一方のバネ部２３ａに布片を挟持して標識をつくる。また他方のバネ部２３ｂを車椅子の背もたれに挟持して標識を車椅子に取り付ける。【選択図】図３
0003140264.tif 000002
【実用新案登録請求の範囲】
【請求項１】
本体に目印を着脱自在に取り付ける着脱式標識であって、前記本体は線材または板材を折り返して両端に開き口を有するバネ部を２箇所形成し、前記バネ部の１箇所に少なくとも前記目印を着脱可能に保持したことを特徴とする、着脱式標識。
【請求項２】
請求項１に記載する着脱式標識において、前記目印が布片または紙片であることを特徴とする、着脱式標識。
【請求項３】
請求項１または請求項２に記載する着脱式標識において、前記目印がライトであって、該ライトを前記バネ部の１箇所に係止可能にしたことを特徴とする、着脱式標識。
【請求項４】
請求項１乃至請求項３に記載する着脱式標識を、もう１箇所のバネ部を車椅子の背もたれに挟持することによって着脱自在に取り付けたことを特徴とする、車椅子。
【考案の詳細な説明】
【技術分野】
【０００１】  本考案は、着脱式標識及びこれを取り付けた車椅子に関するものである。
【背景技術】
【０００２】  車椅子は、自力で歩行することが困難な病人や身体障害者などに利用されている。車椅子の使用により、車椅子の走行可能な範囲であれば自由に移動することができ、必要に応じて道路等にも走行する。車椅子が道路を走行しているときは、自動車の運転者は、車椅子利用者を認識して避ける必要があり、積極的に注意を払って運転しなければ交通事故を起こす。
しかしながら、自動車を運転している運転者にとって、車椅子利用者の発見は容易でなく、運転者は常に注意していなければならず、非常に危険である。このように、従来の車椅子では自動車の運転者にとって認識することが困難であるため、体が不自由な病人や身体障害者が使用する際に不便をきたすことがある。
【考案の開示】
【考案が解決しようとする課題】
【０００３】  本発明は上記に鑑みてなされたもので、車椅子の道路走行時において、自動車の運転者にとって車椅子利用者の所在を容易に認識できる車椅子を提供することを目的とする。
またこれを容易に実施しえるように車椅子に簡単に着脱できる着脱式標識を提供することを目的とする。
【課題を解決するための手段】
【０００４】  上記の目的を達成するために、本考案の着脱式標識は、本体に目印を着脱自在に取り付ける着脱式標識であって、前記本体は線材または板材を折り返して両端に開き口を有するバネ部を２箇所形成し、前記バネ部の１箇所に少なくとも前記目印を着脱可能に保持したことを特徴とするものである。
また前記目印が布片または紙片であることを特徴とするものである。
また前記目印がライトであって、該ライトを前記バネ部の１箇所に係止可能にしたことを特徴とするものである。
また本考案の車椅子は、前記した着脱式標識を、もう１箇所のバネ部を車椅子の背もたれに挟持することによって着脱自在に取り付けたことを特徴とするものである。
【考案の効果】
【０００５】  上記構成の着脱式標識及びこれを取り付けた車椅子によれば、次のような効果を得ることができる。
＜イ＞標識を設けたことにより、自動車の運転者や周囲の人に車椅子が走行していることを簡単に認識させることができる。
＜ロ＞標識の本体が、線材または板材を折り曲げたバネ部材で構成されているため、標識をワンタッチで車椅子の背もたれに着脱することができる。
＜ハ＞線材または板材を折り曲げたバネ部材に、布片、紙片またはライトを挟持または係止するだけの簡単な構造のため、標識を安価につくることができる。
【考案を実施するための最良の形態】
【０００６】  以下、図面を参照しながら、本考案に係る実施の形態について説明する。【０００７】＜イ＞車椅子（図１、図２）
車椅子１は、周知のように、パイプ材等のフレーム１０からなる車体に前輪１１と後輪１２を設けて構成されている。前輪１１は方向変換自在なキャスタからなり、後輪１２は前輪１１に比べて大径に形成されるとともに、この後輪１２との間に間隔をあけて同心状に駆動輪１３が取り付けられている。車体の水平部には利用者Ａが着座するための座シート１４が設けられ、その後方に背もたれ１５が設けられている。座シート１４に着座した利用者Ａが駆動輪１３を手で回転させたり、介護者がハンドル１７を持って車体を押すことで、車椅子１を走行させるようになっている。【０００８】＜ロ＞標識（図１、図２、図３）
標識２は、本体２０と、この本体２０に着脱可能に取り付ける目印（布片）２１とからなる。本体２０は、バネ鋼等の線材を図３に示すように折り曲げてつくる。即ち、１本の線材の一端を１８０度折り曲げて折曲部を環状にしてバネ部２３ａを形成した後、直線部２４ａの先端を僅かに折り返して開き口２５ａを形成する。他端も折り曲げるが、この場合は１度１８０度折り曲げて直線部２４ｂを設け、さらに反対側へ再び１８０度折り曲げる（２度折り曲げる）。反対側に折り曲げる際は、前記したように折曲部を環状にしてバネ部２３ｂを形成した後、直線部２４ｃの先端を僅かに折り返して開き口２５ｂを形成する。
なお、バネ部２３ａ，２３ｂを環状に形成するのは、バネ性を向上させるほか、手で触れても安全なように滑らかにするためである。【０００９】  バネ部２３ａ，２３ｂのバネ性は、布片２１を挟んでこれが落下しない強さであり、車椅子１の背もたれ１５に挟んでも標識２が倒れない程度の強さである。開き口２５ａは後述するように布片２１を挟みやすくするものであり、２度折り曲げた先の開き口２５ｂは背もたれ１５を挟みやすくするためである。線材の折り返し長さ（直線部２４ａ，２４ｂ，２４ｃ）は適当でよいが、挟んだ布片２１が落下したり、背もたれ１５に挟んだ標識２が倒れない程度の長さとする。
また、背もたれ１５の厚みに応じてバネ部材２３ｂ、開き口２５ｂの形状・寸法を適宜設定する。【００１０】  布片２１の大きさは適宜でよいが、自動車の運転者が容易に認識できるように縦横３０ｃｍ〜５０ｃｍ程度とする。布片２１の上部に棒等の芯２６を取り付けて、布片２１が横に広がるようにしてもよい。また布片２１には、反射材や蓄光材等を塗布したり、またはこれらを用いて適当なデザインを施すことができ、夜間に使用する場合でも安全である。【００１１】＜ハ＞使用例
先ず図３のように線材を折り曲げてバネ部２３ａ，２３ｂを形成した本体２０をつくっておく。上方の開き口２５ａから布片２１の芯２６を挿し込んで、芯２６及び布片２１のほぼ中央部をバネ部２３ａのバネ力で挟持する（図２参照）。
次に、このように構成した標識２を車椅子１の背もたれ１５に取り付ける。図４（Ａ）に示すように、下方の開き口２５ｂを車椅子１の背もたれ１５に当て矢印ａの方向へ押し込むことによって、バネ部２３ｂが撓んで開き口２５ｂが矢印ｂのごとく開く。さらに押し込むことで、図４（Ｂ）のごとく直線部２４ｂ，２４ｃによって背もたれ１５を弾力的に挟持して標識２が車椅子１に取り付けられる。【００１２】  標識２は利用者Ａにぶつからないように、背もたれ１５のいずれかの端に取り付けるのがよい（図２参照）。また、自動車の運転者や周囲の人に車椅子１が存在しているのを容易に認識させるために、標識２の高さは地面より１６０ｃｍ〜１８０ｃｍ程度とするのが好ましい（図２参照）。道路を走行しないときや、屋内で使用するときなど、標識２を車椅子１から取り外したい場合は、そのまま引き抜けばよい。このように本考案の標識２は、バネ部２３ａ，２３ｂで挟持するだけのため、ワンタッチで車椅子１に取り付けたり、取り外すことができる。【００１３】  このような標識２を取り付けることによって、車椅子１を用いて外出した場合でも、自動車の運転者にとって車椅子１および車椅子利用者Ａの発見が容易となり、そのため車椅子利用者Ａにとって安全に外出することができる。
なお、これまで目印として布片２１について説明したが、布片２１に限定することなく、紙片または木片などバネ部２３ａで挟むことができるものであればよい。【００１４】  標識２の他の例を図５に示す。本例は、線材の替わりにバネ鋼等の板材３０を用いたもので、同様にバネ部３３ａ，３３ｂ、直線部３４ａ，３４ｂ、開き口３５ａ，３５ｂを形成している。バネ部３３ａで布片２１を挟持し、バネ部３３ｂで背もたれ１５を挟持する。バネ部３３ａ，３３ｂが布片２１及び背もたれ１５を幅広く挟持するので、車椅子１に標識２を確実に取り付けることができる。【００１５】  標識２のさらに他の例を図６に示す。本例は、目印としてライト４を用いている。バネ部２３ａを形成する環状部にライト４の紐４０を係止して取り付けている。バネ部２３ａのバネ性は、ライト４の紐４０を環状部に係止しても落下しない強さである。ライト４を点滅させれば、自動車の運転者にとって車椅子１および車椅子利用者Ａの発見が容易であり、夜間の場合は、非常に効果的である。
【図面の簡単な説明】
【００１６】
【図１】車椅子に標識を取り付けた状態を示す側面図。
【図２】車椅子に標識を取り付けた状態を示す背面図。
【図３】標識の本体を示す図。
【図４】標識を車椅子の背もたれに取り付ける状態を示す図で、（Ａ）は取付け直前の状態を示し、（Ｂ）は取付け完了の状態を示す。
【図５】他の標識を示す図。
【図６】他の標識を示す図。
【符号の説明】
【００１７】１・・・・車椅子
２・・・・標識
１０・・・フレーム
１１・・・前輪
１２・・・後輪
１５・・・背もたれ
２０・・・本体
２１・・・布片
２４・・・直線部
２５・・・開き口
２６・・・芯
４・・・・ライト
４０・・・紐
Ａ・・・・利用者
【図１】
0003140264.tif 000003
【図２】
0003140264.tif 000004
【図３】
0003140264.tif 000005
【図４】
0003140264.tif 000006
【図５】
0003140264.tif 000007
【図６】
0003140264.tif 000008